【手続補正書】
【提出日】平成15年6月23日(2003.6.23)
【手続補正１】
【補正対象書類名】明細書
【補正対象項目名】特許請求の範囲
【補正方法】変更
【補正の内容】
【特許請求の範囲】
【請求項１】
スプーラに複数の印刷文書を格納し、該複数の印刷文書を結合した印刷ジョブの印刷を制御する印刷制御方法であって、
１つの印刷ジョブを生成するために、複数の印刷文書を結合する結合工程と、前記結合工程で生成された印刷ジョブに含まれる複数の印刷文書の構成を第一領域に表示し、該印刷ジョブに対応するページのプレビュー画像を第二領域に画像オブジェクトとして表示する第一表示工程と、
前記第一表示工程により該第二領域に表示された画像オブジェクトの内からいずれかの画像オブジェクトが指定された場合、指定された画像オブジェクトのページに対応する印刷文書を他の印刷文書と識別可能に該第一領域に表示する第二表示工程と
を含むことを特徴とする印刷制御方法。
【請求項２】
前記第二表示工程においては、指定された画像オブジェクトが印刷ジョブであれば、指定された印刷ジョブと当該印刷ジョブに属するページとの対応関係を識別可能に表示し、指定されたオブジェクトがページプレビュー画像であれば、選択されたページと当該ページが属する印刷ジョブとの対応関係を識別可能に表示することを特徴とする請求項１記載の印刷制御方法。
【請求項３】
印刷データを格納する格納工程を更に備えることを特徴とする請求項１または２に記載の印刷制御方法。
【請求項４】
製本印刷が指定された印刷ジョブについては、前記プレビュー表示した通りの順序となるように、印刷装置により前記印刷データを印刷させる出力工程を更に含むことを特徴とする請求項１乃至３のいずれかに記載の印刷制御方法。
【請求項５】
スプーラに複数の印刷文書を格納し、該複数の印刷文書を結合した印刷ジョブの印刷を制御する印刷制御装置であって、
１つの印刷ジョブを生成するために、複数の印刷文書を結合する結合手段と、前記結合手段で生成された印刷ジョブに含まれる複数の印刷文書の構成を第一領域に表示し、該印刷ジョブに対応するページのプレビュー画像を第二領域に画像オブジェクトとして表示する第一表示手段と、
前記第一表示手段により該第二領域に表示された画像オブジェクトの内からいずれかの画像オブジェクトが指定された場合、指定された画像オブジェクトのページに対応する印刷文書を他の印刷文書と識別可能に該第一領域に表示する第二表示手段と
を含むことを特徴とする印刷制御装置。
【請求項６】
スプーラに複数の印刷文書を格納し、該複数の印刷文書を結合した印刷ジョブの印刷をコンピュータにより制御させるためのプログラムを記録したコンピュータ可読の記憶媒体であって、コンピュータにより、
１つの印刷ジョブを生成するために、複数の印刷文書を結合する結合工程と、前記結合工程で生成された印刷ジョブに含まれる複数の印刷文書の構成を第一領域に表示し、該印刷ジョブに対応するページのプレビュー画像を第二領域に画像オブジェクトとして表示する第一表示工程と、
前記第一表示工程により該第二領域に表示された画像オブジェクトの内からいずれかの画像オブジェクトが指定された場合、指定された画像オブジェクトのページに対応する印刷文書を他の印刷文書と識別可能に該第一領域に表示する第二表示工程と
を実行させるプログラムを記録したことを特徴とするコンピュータ可読記憶媒体。
【請求項７】
前記第二表示工程においては、指定された画像オブジェクトが印刷ジョブであれば、指定された印刷ジョブと当該印刷ジョブに属するページとの対応関係を識別可能に表示し、指定されたオブジェクトがページプレビュー画像であれば、選択されたページと当該ページが属する印刷ジョブとの対応関係を識別可能に表示することを特徴とする請求項６記載の記憶媒体。
【請求項８】
印刷データを格納する格納工程を更に実行させることを特徴とする請求項６または７に記載の記憶媒体。
【請求項９】
製本印刷が指定された印刷ジョブについては、前記プレビュー表示した通りの順序となるように、印刷装置により前記印刷データを印刷させる出力工程を更に実行させることを特徴とする請求項６乃至８のいずれかに記載の記憶媒体。
【請求項１０】
スプーラに複数の印刷文書を格納し、該複数の印刷文書を結合した印刷ジョブの印刷を制御する印刷制御方法であって、
複数の印刷文書を結合して１つの印刷ジョブを生成するジョブ結合工程と、
前記ジョブ結合工程で生成された印刷ジョブに含まれる複数の印刷文書の構成を第一領域に表示し、該印刷ジョブに対応するページのプレビュー画像を第二領域に画像オブジェクトとして表示する第一表示工程と、
前記第一表示工程により該第一領域に表示された印刷ジョブに含まれる複数の印刷文書の内からいずれかの印刷文書が指定された場合、指定された印刷文書に対応するページの画像オブジェクトを他のページの画像オブジェクトと識別可能に該第二領域に表示する第二表示工程と
を含むことを特徴とする印刷制御方法。
【請求項１１】
前記表示工程においては、指定された画像オブジェクトが印刷ジョブであれば、指定された印刷ジョブと当該印刷ジョブに属するページとの対応関係を識別可能に表示し、指定されたオブジェクトがページプレビュー画像であれば、選択されたページと当該ページが属する印刷ジョブとの対応関係を識別可能に表示することを特徴とする請求項１０記載の印刷制御方法。
【請求項１２】
印刷データを格納する格納工程を更に含むことを特徴とする請求項１０または１１に記載の印刷制御方法。
【請求項１３】
製本印刷が指定された印刷ジョブについては、前記プレビュー表示した通りの順序となるように、印刷装置により前記印刷データを印刷させる出力工程を更に含むことを特徴とする請求項１０乃至１２のいずれかに記載の印刷制御方法。
【請求項１４】
スプーラに複数の印刷文書を格納し、該複数の印刷文書を結合した印刷ジョブの印刷を制御する印刷制御装置であって、
複数の印刷文書を結合して１つの印刷ジョブを生成するジョブ結合手段と、
前記ジョブ結合手段で生成された印刷ジョブに含まれる複数の印刷文書の構成を第一領域に表示し、該印刷ジョブに対応するページのプレビュー画像を第二領域に画像オブジェクトとして表示する第一表示手段と、
前記第一表示手段により該第一領域に表示された印刷ジョブに含まれる複数の印刷文書の内からいずれかの印刷文書が指定された場合、指定された印刷文書に対応するページの画像オブジェクトを他のページの画像オブジェクトと識別可能に該第二領域に表示する第二表示手段と
を含むことを特徴とする印刷制御装置。
【請求項１５】
スプーラに複数の印刷文書を格納し、該複数の印刷文書を結合した印刷ジョブの印刷をコンピュータにより制御させるためのプログラムを記録したコンピュータ可読記憶媒体であって、コンピュータにより、
複数の印刷文書を結合して１つの印刷ジョブを生成するジョブ結合工程と、
前記ジョブ結合工程で生成された印刷ジョブに含まれる複数の印刷文書の構成を第一領域に表示し、該印刷ジョブに対応するページのプレビュー画像を第二領域に画像オブジェクトとして表示する第一表示工程と、
前記第一表示工程により該第一領域に表示された印刷ジョブに含まれる複数の印刷文書の内からいずれかの印刷文書が指定された場合、指定された印刷文書に対応するページの画像オブジェクトを他のページの画像オブジェクトと識別可能に該第二領域に表示する第二表示工程と
を実行させるプログラムを記録したことを特徴とするコンピュータ可読記憶媒体。
【請求項１６】
前記表示工程においては、指定された画像オブジェクトが印刷ジョブであれば、指定された印刷ジョブと当該印刷ジョブに属するページとの対応関係を識別可能に表示し、指定されたオブジェクトがページプレビュー画像であれば、選択されたページと当該ページが属する印刷ジョブとの対応関係を識別可能に表示することを特徴とする請求項１５記載の記憶媒体。
【請求項１７】
印刷データを格納する格納工程を更に実行させることを特徴とする請求項１５または１６に記載の記憶媒体。
【請求項１８】
製本印刷が指定された印刷ジョブについては、前記プレビュー表示した通りの順序となるように、印刷装置により前記印刷データを印刷させる出力工程を更に実行させることを特徴とする請求項１５乃至１７のいずれかに記載の記憶媒体。
【手続補正２】
【補正対象書類名】明細書
【補正対象項目名】０００９
【補正方法】変更
【補正の内容】
【０００９】
【課題を解決するための手段】
上記目的を達成するために本発明は次のような構成からなる。すなわち、スプーラに複数の印刷文書を格納し、該複数の印刷文書を結合した印刷ジョブの印刷を制御する印刷制御方法であって、１つの印刷ジョブを生成するために、複数の印刷文書を結合する結合工程と、前記結合工程で生成された印刷ジョブに含まれる複数の印刷文書の構成を第一領域に表示し、該印刷ジョブに対応するページのプレビュー画像を第二領域に画像オブジェクトとして表示する第一表示工程と、前記第一表示工程により該第二領域に表示された画像オブジェクトの内からいずれかの画像オブジェクトが指定された場合、指定された画像オブジェクトのページに対応する印刷文書を他の印刷文書と識別可能に該第一領域に表示する第二表示工程とを含む。
更に好ましくは、前記第二表示工程においては、指定された画像オブジェクトが印刷ジョブであれば、指定された印刷ジョブと当該印刷ジョブに属するページとの対応関係を識別可能に表示し、指定されたオブジェクトがページプレビュー画像であれば、選択されたページと当該ページが属する印刷ジョブとの対応関係を識別可能に表示する。
更に好ましくは、印刷データを格納する格納工程を更に備える。
更に好ましくは、製本印刷が指定された印刷ジョブについては、前記プレビュー表示した通りの順序となるように、印刷装置により前記印刷データを印刷させる出力工程を更に含む。
【手続補正３】
【補正対象書類名】明細書
【補正対象項目名】００１０
【補正方法】変更
【補正の内容】
【００１０】
あるいは、スプーラに複数の印刷文書を格納し、該複数の印刷文書を結合した印刷ジョブの印刷を制御する印刷制御方法であって、複数の印刷文書を結合して１つの印刷ジョブを生成するジョブ結合工程と、前記ジョブ結合工程で生成された印刷ジョブに含まれる複数の印刷文書の構成を第一領域に表示し、該印刷ジョブに対応するページのプレビュー画像を第二領域に画像オブジェクトとして表示する第一表示工程と、前記第一表示工程により該第一領域に表示された印刷ジョブに含まれる複数の印刷文書の内からいずれかの印刷文書が指定された場合、指定された印刷文書に対応するページの画像オブジェクトを他のページの画像オブジェクトと識別可能に該第二領域に表示する第二表示工程とを含む。
更に好ましくは、前記表示工程においては、指定された画像オブジェクトが印刷ジョブであれば、指定された印刷ジョブと当該印刷ジョブに属するページとの対応関係を識別可能に表示し、指定されたオブジェクトがページプレビュー画像であれば、選択されたページと当該ページが属する印刷ジョブとの対応関係を識別可能に表示する。
更に好ましくは、印刷データを格納する格納工程を更に含む。
更に好ましくは、製本印刷が指定された印刷ジョブについては、前記プレビュー表示した通りの順序となるように、印刷装置により前記印刷データを印刷させる出力工程を更に含む。
【手続補正４】
【補正対象書類名】明細書
【補正対象項目名】００１１
【補正方法】削除
【補正の内容】